(57)【特許請求の範囲】
【請求項１】
モビリティ管理の方法であって、
ａ） モバイルエージェント（ＭＡ）が登録するモビリティ管理エンティティ（ＭＭＥ）が、ＭＡコンテキストをユーザ端末（ＵＥ）コンテキストでバインドすることと、
ｂ） 前記ＭＭＥが、前記ＭＡによって送信される第１の位置更新要求を受信することと、
ｃ） 前記ＭＭＥが、前記第１の位置更新要求、および前記ＭＡコンテキストと前記ＵＥコンテキストとのバインド関係に基づき、前記ＵＥが前記ＭＡと一緒に移動すると判定することと、
を含み、
ａ） 前記ＭＡが登録する前記ＭＭＥが、前記ＭＡコンテキストを前記ＵＥコンテキストにバインドすることは、
ａ−１）  前記ＭＭＥが、前記ＵＥから、該ＵＥを前記ＭＡでバインドするよう求めるバインド要求を受信することと、
ａ−２） 前記ＭＭＥが、前記バインド要求内の前記ＵＥが登録する現在のモビリティ管理エンティティのアドレス指定情報に従って前記ＵＥがローカルで登録されているかどうか判断することと、
ａ−３）  前記ＵＥがローカルで登録されている場合には、前記ＭＭＥが前記ＵＥコンテキストを取得し、前記ＵＥがローカルで登録されていない場合には、前記ＭＭＥが、前記ＵＥが登録する現在のモビリティ管理エンティティから前記ＵＥコンテキストを取得することと、
ａ−４） 前記ＭＭＥが、前記取得したＵＥコンテキストを前記ＭＡコンテキストでバインドすることと、
を含み、
前記ＭＭＥは、前記ＭＡが登録する新しいモビリティ管理エンティティであり、
ａ−１）  前記ＭＭＥが前記ＵＥから前記バインド要求を受信する前に、さらに、
ｘ−１）  前記ＭＭＥが、前記ＭＡにより送信された前記第２の位置更新要求を受信することと、
ｘ−２） 前記ＭＭＥが、前記ＭＡが登録する元のＭＭＥから前記ＭＡコンテキストおよび前記ＵＥコンテキストを取得することと、
ｘ−３） 前記ＭＭＥが、前記ＭＡが登録する元のＭＭＥに、前記ＭＡコンテキストと前記ＵＥコンテキストとのバインド関係をクリアするよう指示することと、
ｘ−４） 前記ＭＭＥが、前記ＭＡに再バインド表示を搬送する位置更新受諾メッセージを送信することと、
ｘ−５）  前記ＭＡが、前記再バインド表示を搬送する再バインド告知メッセージを送信することと、
ｘ−６）  前記ＵＥが、前記再バインド告知メッセージ内の前記再バインド表示に従って前記バインド要求を送信することと、
を含む、
モビリティ管理の方法。
【請求項２】
ａ−４） 前記ＭＭＥが、前記ＭＡコンテキストを前記ＵＥコンテキストでバインドすることは、
前記ＭＭＥが、前記ＵＥコンテキストを、前記ＭＡが登録する元のＭＭＥから取得される前記ＭＡコンテキストでバインドすることを含む
請求項１に記載の方法。
【発明の詳細な説明】
【技術分野】
【０００１】
本発明は通信技術に関し、詳細には、モビリティ管理の方法、関連装置、および通信システムに関する。
【背景技術】
【０００２】
移動通信システムにおいては、ユーザ端末（ＵＥ：User Equipment）がネットワークに接続された後で、ネットワーク側はＵＥに、「ページングエリア（paging area）」と呼ばれる無線カバレージを割り振る。ＵＥがネットワークとの接続を解除するときに、ネットワークがＵＥにシグナリングまたはユーザプレーンデータを送信する必要がある場合、ネットワークは、ページングエリア内のＵＥにページングメッセージを送信する。ＵＥが現在のページングエリアから出るときに、ＵＥはネットワークに位置更新要求を送信する必要があり、ネットワーク側はＵＥに新しいページングエリアを割り振る。
【０００３】
当然ながら、ＵＥは、より高速で移動する場合には、より頻繁に位置更新要求を送信する。人の移動の速度および範囲には限界がある。広い範囲をすばやく移動するために、人は、例えば、バス、地下鉄、列車、船などの輸送手段を使用する。輸送手段上では、すべてのＵＥが同じ方向に同じ速度で移動する。
【０００４】
パレードやデモ行進などの際には、多数の歩行者が一緒に移動することもある。
【０００５】
本発明を実施する過程において、発明者は次のことを見出した。すなわち、同じ位置にある多数のＵＥが同じ速度で同じ目的地に向かって移動する場合、各ＵＥが短時間に別々にネットワークに位置更新要求を送信すると、ネットワークは、その位置更新要求に従って各ＵＥの現在位置を突き止める必要がある。ネットワークは多数の位置更新要求を非常に短時間に受信し、そのため、ネットワークの処理負荷が急激に増加する。
【発明の概要】
【発明が解決しようとする課題】
【０００６】
本発明の実施形態は、全体としてシステムの位置更新要求の数を低減するためのモビリティ管理の方法、関連装置、および通信システムを提供する。
【課題を解決するための手段】
【０００７】
モビリティ管理の方法は、
モバイルエージェント（ＭＡ：Mobile Agent）によって送信される第１の位置更新要求を受信することと、
第１の位置更新要求およびＭＡコンテキストとＵＥコンテキストとのバインド関係に従って、ＵＥがＭＡと一緒に移動すると判定することと、
を含む。
【０００８】
モビリティ管理装置は、
ＭＡによって送信される第１の位置更新要求を受信するように構成された位置更新要求受信部と、
第１の位置更新要求およびＭＡコンテキストとＵＥコンテキストとのバインド関係に従って、ＵＥがＭＡと一緒に移動すると判定するように構成された位置移動判定部と、
を含む。
【０００９】
モビリティ管理装置は、
補助ＭＡコンテキストを作成し、補助ＭＡコンテキストを、ＭＡが登録するモビリティ管理エンティティ（ＭＭＥ：Mobility Management Entity）上のＭＡコンテキストと相関させるように構成された補助ＭＡコンテキスト作成部と、
ＵＥコンテキストを補助ＭＡコンテキストでバインドするように構成されたバインド部と、
を含む。
【００１０】
ＵＥは、
ＵＥとＭＡとのバインドの成功を表示するバインド表示を取得するように構成されたバインド表示取得部と、
ＵＥとＭＡとのバインドの成功を表示するバインド表示を取得した後で、ＵＥが移動しているときの位置更新要求の送信を回避する制御をするように構成された制御部と、
を含む。
【００１１】
ＭＡは、
ネットワーク側に、モビリティエージェント機能の許可を要求するための認証要求を送信するように構成された認証要求送信部と、
ネットワーク側によってフィードバックされる認証結果を受信するように構成された認証結果受信部と、
ＵＥがＭＡのモビリティエージェント機能を確認するように、ＵＥに認証結果を搬送する告知メッセージを送信するように構成された告知送信部と、
を含む。
【００１２】
通信システムは、
補助ＭＡコンテキストを作成し、補助ＭＡコンテキストをＭＡが登録するＭＭＥ上のＭＡコンテキストと相関させ、ＵＥコンテキストを補助ＭＡコンテキストでバインドするように構成された、ＵＥが登録するＭＭＥと、
ＭＡコンテキストを作成し、ＭＡコンテキストをＵＥが登録するＭＭＥ上の補助ＭＡコンテキストと相関させ、ＭＡによって送信される位置更新要求を受信し、位置更新要求に従って、補助ＭＡコンテキストでバインドされたＵＥコンテキストに対応するＵＥがＭＡと一緒に移動すると判定するように構成された、ＭＡが登録するＭＭＥと、
を含む。
【発明の効果】
【００１３】
本発明の実施形態によれば、ネットワーク側はＭＡコンテキストをＵＥコンテキストでバインドし、ＭＡによって送信される位置更新要求を受信した後で、ネットワークは、ＭＡでバインドされたＵＥが対応する位置に移動したと判定する。したがって、移動するＵＥの位置は、ＭＡでバインドされた各ＵＥに位置更新要求をそれぞれ送信するよう要求せずに、決定することができ、ネットワークの処理負荷が軽減される。
【００１４】
本発明の実施形態によれば、ＵＥが移動している間、ＵＥは、ＵＥとＭＡとのバインドの成功の表示を取得した後で、位置更新要求を送信しない。したがって、ネットワーク側は、多数の位置更新要求を非常に短時間に受信し、または処理する必要がなく、ネットワークの処理負荷が軽減される。
【図面の簡単な説明】
【００１５】
【図１】本発明の第１の実施形態によるモビリティ管理の方法を示す流れ図である。
【図２】本発明の第２の実施形態によるモビリティ管理の方法を示す信号流れ図である。
【図３】本発明の第３の実施形態によるモビリティ管理の方法を示す信号流れ図である。
【図４】本発明の第４の実施形態によるモビリティ管理の方法を示す信号流れ図である。
【図５】本発明の一実施形態による、ＭＡがどのようにしてバインドされたＵＥに再度バインドされるよう通知するかに関する信号流れ図である。
【図６】本発明の一実施形態によるバインド解除を示す信号流れ図である。
【図７】本発明の一実施形態によるバインド解除を示す信号流れ図である。
【図８】本発明の第５の実施形態によるモビリティ管理装置の構造を示す図である。
【図９】本発明の第６の実施形態によるモビリティ管理装置の構造を示す図である。
【図１０】本発明の第７の実施形態によるＵＥの構造を示す図である。
【図１１】本発明の第８の実施形態によるＭＡの構造を示す図である。
【発明を実施するための形態】
【００１６】
実施形態１
【００１７】
図１に示すように、本発明の第１の実施形態によるモビリティ管理の方法は、
ネットワーク側が、ＭＡコンテキストをＵＥコンテキストでバインドすることと、
ＭＡによって送信される位置更新要求を受信することと、
位置更新要求、およびＭＡコンテキストとＵＥコンテキストとのバインド関係に従って、ＵＥがＭＡと一緒に移動すると判定することと、
を含む。
【００１８】
ネットワーク側はＭＭＥとすることができる。進化型パケットシステム（ＥＰＳ）においては、ネットワーク側はＭＭＥとすることができ、位置更新要求はＴＡＵ（Tracking Area Update：トラッキングエリア更新）要求とすることができる。後述する各実施形態では、ＥＰＳを例にとる。
【００１９】
ネットワーク側は、シングルホストモードとマルチホストモードという２つのモードで、ＭＡコンテキストをＵＥコンテキストでバインドする。シングルホストモードは、バインドされるＵＥとＭＡとが同じＭＭＥに登録することを必要とする。バインド時に、ＵＥとＭＡとが異なるＭＭＥに登録している場合、ＭＡが登録するＭＭＥは、ＵＥコンテキストをＭＡコンテキストでバインドするために、ＵＥが登録するＭＭＥからＵＥコンテキストを取得する。マルチホストモードは、バインドされるＵＥとＭＡとが異なるＭＭＥに登録することが可能となり、ＵＥは、ＭＡが登録するＭＭＥとＵＥが登録するＭＭＥとの相関関係を介して間接的にＭＡでバインドされる。２つのモードを以下の実施形態において詳述する。
【００２０】
ネットワーク側がＵＥコンテキストでＭＡコンテキストをバインドする前に、この方法はさらに以下を含む。ネットワーク側（ＭＡが登録するＭＭＥとすることができる）は、ネットワーク側にモビリティエージェント機能を許可するよう要求するためにＭＡによって送信される認証要求を受信し、ＭＡを認証し、ＭＡに認証結果を返し、ＭＡは、認証結果を搬送する告知メッセージをブロードキャストし、ＵＥは、認証結果に従い、ＭＡがネットワーク側により、モビリティエージェント機能を許可されていることを確認する。この詳細なプロセスは２つのモードで実施することができ、第１のモードは以下のステップを含む。
【００２１】
Ｓ１．ＭＡは接続要求（Attach Request）メッセージを送信する。接続要求メッセージは認証要求として働き、ＭＡとなることを要求することを示す情報を搬送する。
【００２２】
Ｓ２．接続要求メッセージを受信した後、ＭＭＥは、ホーム加入者サーバ（ＨＳＳ：Home Subscriber）または認証許可課金（ＡＡＡ：Authentication Authorization Accounting）サーバから加入者データを取得し、ＭＡを認証する。
【００２３】
Ｓ３．ＭＡを正常に認証した後、ＭＭＥはＭＡに、接続受諾（Attach Accept）メッセージを返す。接続受諾メッセージは、ネットワークによって許可されたセキュリティパラメータを含む認証結果を搬送する。セキュリティパラメータは、ＵＥがＭＡを認証するために許諾される認証パラメータ、ＭＡがモビリティ・エージェント・サービスを提供するために許諾される時間セグメント、ＭＡがモビリティ・エージェント・サービス（例えば、ＭＡによってサービスされるＴＡ（Tracking Area：トラッキングエリア）など）を提供するためのエリア許諾、およびＭＡがモビリティ・エージェント・サービスを提供することを許可されるＵＥの数を含む。
【００２４】
このステップでは、セキュリティパラメータが接続受諾メッセージと一緒に配信される。というのは、ネットワークがＭＡを認証する必要があるだけでなく、後続のＵＥもＭＡを認証する必要があるからである。認証は、ＭＡが、特定の時間にわたり特定のエリアにおいて特定の数のＵＥにモビリティ・エージェント・サービスを提供することを許可されることを検証する。
【００２５】
Ｓ４．ＭＡが登録を完了した後で、ＭＡは、ＭＡの存在を告知するために、無線信号を介して特定の範囲内で告知メッセージを送信する。告知メッセージは、ＭＡの識別子（ＩＤ）、ネットワークによってＭＡに割り振られるグローバル一意一時識別子（ＧＵＴＩ：Globally Unique Temporary Identifier）、ＭＭＥによりＭＡに割り振られるＴＡリスト、ＭＡが現在位置しているＴＡ、セキュリティパラメータ、およびＭＡの容量（すでにＭＡによりサービスされているＵＥの数、ＭＡによってサービスされ得るさらに多くのＵＥの数、または負荷の割合）を搬送する。
【００２６】
ＭＡは、特定の範囲内のＵＥが告知メッセージを受信し得るものと期待するため、特定の範囲内で告知メッセージを送信する。すなわち、この特定の範囲は、ＵＥがそのＭＡでバインドされているときに移動することのできるエリアである。
【００２７】
このステップでは、ＭＡは告知メッセージの送信を、特別に予定された帯域を介して特別に予定された形式で行ってもよく、ブロードキャストメッセージの帯域を介して既存の移動通信方式行ってもよい。告知メッセージの形式は、（ＭＡのＩＤ等の）特定のパラメータがメッセージにおいて搬送される、既存のブロードキャストメッセージの形式とすることができる。
【００２８】
前述のステップでは、ＭＡ認証は、接続手順を介して、またはＴＡＵ（Tracking Area Update）手順等の他の手順を介して、または新しい手順を介して実施される。具体的な実施手順が何であれ、本発明の実施には影響がない。
【００２９】
Ｓ５．ＵＥがＭＡの信号によってカバーされるエリアに入った後で、ＵＥは、告知メッセージを受信し、ＵＥが特定の時間にわたりＭＡ信号のカバレージエリアに在圏することを確認する、すなわち、そのＵＥがそのＭＡでバインドされていることを確認する。ＵＥは、告知メッセージ内のセキュリティパラメータに従ってＭＡを認証し、現在のＭＡがネットワークによってモビリティ・エージェント・サービスの提供を許可されていることを確認する。
【００３０】
ＵＥとＭＡの双方が移動している可能性もある。場合によっては、ＵＥは短時間だけＭＡの信号のカバレージエリアに在圏し、次いで、このカバレージエリアを退出することもある。例えば、ＭＡを備えるバスがＵＥの周囲を走行し、バスの外部にあるこのＵＥが、ＭＡの告知メッセージを受信する。この場合には、ＵＥは、ＭＡでバインドされる必要はなく、ＵＥは、ＵＥが特定の時間にわたってＭＡの信号のカバレージエリアに在圏すると確認した場合に限り、そのＭＡと一緒に移動すると判定する。
【００３１】
大規模な輸送手段には、多くのＵＥにサービスするために多くのＭＡが設置されている場合がある。このステップでは、ＵＥが特定の時間にわたって同時に複数のＭＡから告知メッセージを受信する場合、ＵＥは、事前設定ポリシに従って後続のバインドのためのＭＡを選択する必要がある。事前設定ポリシは、ＭＡ間の負荷を平衡化するためにＭＡの信号強度に従ってＭＡを選択すること、または、ＭＡによってブロードキャストされる告知メッセージ内の負荷割合に従って軽負荷のＭＡを選択すること、または、最大の重みのＭＡを選択すること（ＭＡの重みは、そのＭＡのサービスを受けることを許諾されたＵＥの数に比例する。すなわち、ＭＡのサービスを受けることを許諾されたＵＥの数が大きいほど、ＭＡの重みも大きく、ＭＡのサービスを受けることを許諾されたＵＥの数が小さいほど、ＭＡの重みも軽い。）、または、ＭＡをランダムに選択すること、または、バインド時間の長さに従ってＭＡを選択することができる。例えば、ＵＥが２分間にわたりＭＡ１の信号のカバレージエリアに在圏し、４分間にわたりＭＡ２の信号のカバレージエリアに在圏する場合、そのＵＥは、後続のバインドにＭＡ２を選択する。
【００３２】
第２のモードは以下のステップを含む。
【００３３】
Ｔ１．ネットワーク側は、公開鍵と秘密鍵とを含む非対称鍵を事前に構成する。非対称鍵は、秘密鍵を用いて暗号化された情報は対応する公開鍵によってのみ復号することができ、公開鍵を用いて暗号化された情報は対応する秘密鍵によってのみ復号することができることを特徴とする。ネットワーク側によって保持される秘密鍵は公開されず、ネットワーク側は公開鍵をすべてのＵＥに送信する。ネットワーク側の公開鍵は、ＵＥのスマートカードにおいてプログラムされてもよく、または、ネットワーク側は、ＵＥを接続するプロセスにおいてもしくはＴＡＵプロセスにおいてＵＥに公開鍵を分配し、または、公開鍵は、ｅＮｏｄｅＢによってＵＥに送信されるブロードキャストメッセージで搬送される。
【００３４】
Ｔ２．ＭＡは、公開鍵と秘密鍵とを含む非対称鍵を事前に構成する。ＭＡがネットワーク側に登録するとき、ＭＡは、ＭＡが登録するＭＭＥのために構成された公開鍵を提供する。例えば、ＭＡは、ＭＡが登録するＭＭＥに認証要求を送信し、その認証要求はＭＡによって構成された公開鍵を搬送する。ＭＭＥは、ＭＡがモビリティ・エージェント・サービスの提供を許可されていることを確認し、ＭＭＥによって構成された秘密鍵を使用して、ＭＡによって構成された公開鍵とＭＡのＩＤとを暗号化する。その結果、第１の暗号化フィールドが取得され、認証結果としてＭＡに送信される。
【００３５】
Ｔ３．ＭＡは、構成された秘密鍵を使用して、ＭＡのＩＤ、現在のタイムスタンプ、およびネットワークによってＭＡに許諾された許可情報を暗号化して、第２の暗号化フィールドを取得し、第１の暗号化フィールドと第２の暗号化フィールドとを搬送する告知メッセージを送信する。
【００３６】
Ｔ４．ＵＥは、ネットワーク側によって構成された公開鍵を使用して第１の暗号化フィールドを復号し、ＭＡのＩＤと、ＭＡによって構成された公開鍵とを取得し、ＭＡによって構成された公開鍵を使用して第２の暗号化フィールドを復号し、ＭＡのＩＤと現在のタイムスタンプとを取得する。ＵＥは、第１の暗号化フィールド内のＭＡのＩＤが第２の暗号化フィールド内のＭＡのＩＤと同じであるかどうか判断する。第１の暗号化フィールド内のＭＡのＩＤが第２の暗号化フィールド内のＭＡのＩＤと同じである場合、ＵＥは、現在のタイムスタンプと告知メッセージ内のタイムスタンプとの差が閾値より大きいかどうか判断する。この差が閾値以下である場合、ＵＥは、ＭＡが、ネットワークによってモビリティ・エージェント・サービスの提供を許可されていることを確認する。
【００３７】
前述の認証によって、偽のＭＡはネットワークによって決して許可されず、認証にパスするＭＡだけにネットワークによりＵＥのためのサービス提供を許可することができる。
【００３８】
第１の実施形態では、ネットワーク側は、ＵＥコンテキストでＭＡコンテキストをバインドし、ＭＡによって送信される位置更新要求を受信した後で、ネットワーク側は、ＭＡでバインドされたＵＥが対応する位置に移動したと判定する。したがって、移動するＵＥの位置は、ＭＡでバインドされた各ＵＥにそれぞれ位置更新要求を送信するよう要求せずに判定することができ、ネットワークの処理負荷が軽減される。
【００３９】
実施形態２
【００４０】
図２に示すように、本発明の第２の実施形態によるモビリティ管理の方法は、シングルホストモードを使用してＵＥをＭＡでバインドする。この方法は以下のステップを含む。
【００４１】
Ｌ１．ＵＥはバインド要求であるＴＡＵ要求メッセージを送信する。ＵＥは、ＵＥ自体がＭＡでバインドされることを確認した後で、いつでもバインドを開始し得る。好ましくは、ＵＥは、ＵＥ自体がＭＡでバインドされることを確認した後の次のＴＡＵ手順においてバインドを開始する（次のＴＡＵ手順は、ＵＥが現在のＴＡリストから出たときにトリガされてもよく、ＴＡＵ要求の周期的トリガを制御するＵＥ上のタイマからのタイムアウトによってトリガされてもよい）。ＴＡＵ要求メッセージは、ＵＥのＧＵＴＩ、ＵＥによって選択されるＭＡのＩＤ、ＭＡが登録するＭＭＥのアドレス指定情報、およびバインド表示を搬送する。ＭＡが登録するＭＭＥのアドレス指定情報は、ＭＡのＧＵＴＩとしてもよく、ＴＡＵ要求メッセージ内の、無線アクセスネットワーク（ＲＡＮ：Radio Access Network）によるバインド要求メッセージの経路指定のためのフィールドに記載される。ＲＡＮによるバインド要求メッセージの経路指定のためのフィールドは、元来は、ＵＥが登録するＭＭＥのアドレス指定情報を搬送するために設計されたものであり、ＵＥが登録するＭＭＥのアドレス指定情報は、ＵＥのＧＵＴＩとしてもよい。したがって、ＵＥのＧＵＴＩは、メッセージ内の新しい追加される情報要素に配置される必要がある。このようにして、ＲＡＮは、ＴＡＵ要求メッセージ内のＭＡのＧＵＴＩのＭＭＥコードに従って、ＭＡが登録するＭＭＥ１にメッセージを経路指定することができる。
【００４２】
Ｌ２．ＭＭＥ１は、ＭＡのＧＵＴＩに従ってＭＡコンテキストを探し出し、ＭＡがネットワークによってモビリティ・エージェント・サービスの提供を許可されているかどうかチェックする。ＵＥのＧＵＴＩのＭＭＥコードに従って、ＭＭＥ１は、ＵＥが現在、ＭＭＥ１自体に登録されているか、それとも別のＭＭＥに登録されているかチェックする。ＵＥが現在ＭＭＥ２等の別のＭＭＥに登録されている場合、ＭＭＥ１はＭＭＥ２からＵＥコンテキストを取得する。ＵＥが現在ＭＭＥ１自体に登録されている場合、ＭＭＥ１は、ＵＥのＧＵＴＩに従って事前に記憶されたＵＥコンテキストを探し出す。（図に示されているのは、ＭＭＥ１がどのようにしてＭＭＥ２からＵＥコンテキストを取得するかである。）
【００４３】
Ｌ３．ＭＭＥ１は、ＵＥコンテキストをＭＡコンテキストと相関させ、次いで、バインドされたＵＥがその後ＭＡと一緒に移動することを知る。ＭＭＥ１はＵＥにバインド成功表示を返す。バインド成功表示は、バインドの成功を表示するＴＡＵ受諾メッセージとしてもよい。
【００４４】
あるいは、ＭＭＥ１は、ＵＥにバインド成功表示を返さなくてもよい。代わりに、ＵＥは、バインド要求を送信した後で、特定の時間にわたりＭＭＥ１から応答が受信されるかどうか判断し、特定に時間にわたりＭＭＥ１から応答メッセージが受信されない場合に、そのバインドが成功したとみなす。
【００４５】
ＵＥがＭＡで正常にバインドされた後、ＵＥは、ＴＡにまたがって移動している間、次のＴＡＵ要求を送信しない。ＴＡＵ要求は位置更新要求である。しかし、ＵＥはこの時点においてはまだ引き続き、ネットワーク側のＭＡとのバインド関係を維持するために周期的なＴＡＵ手順を開始することができる。さらに、ＵＥは、バインド期間においてＭＡから告知メッセージを受信し続けてもよく、告知メッセージから、ＭＭＥによりＭＡに割り振られる新しいＴＡリストを取得し、その新しいＴＡリストを、ＵＥ自体の現在のＴＡリストとして使用する。とはいえ、ＵＥはＭＭＥに、バインド解除時にＵＥにＴＡリストを割り振るよう要求し得る。
【００４６】
前述のステップでは、ＵＥとＭＡとのバインドを実施する。以下では、ＭＡがバインドされたＵＥに代わってどのようにして位置更新を行うか説明する。
【００４７】
Ｌ４．ＭＡは、ｅＮｏｄｅＢによって送信されるブロードキャスト信号を検出し、ＭＡがＭＭＥによってＭＡに割り振られたＴＡリスト範囲から出て、目標ＴＡ（ＴＡ２）に入ったことを知り、ＭＡはＴＡＵ要求メッセージ（第１の位置更新要求）を送信する。ｅＮｏｄｅＢはＴＡＵ要求メッセージを受信し、ＴＡＵ要求メッセージに目標ＴＡ識別子（ＴＡＩ２）を追加し、そのメッセージを送信する。ＭＡが登録する元のＭＥ１がまだ引き続きＴＡ２にサービスすることができると仮定して、ｅＮｏｄｅＢは、ＴＡＵ要求メッセージをＭＭＥ１に経路指定する。
【００４８】
Ｌ５．ＴＡＵ要求を受信した後で、ＭＭＥ１は、ＭＡコンテキストを探し出し、ＭＡに新しいＴＡリストを割り振り、新しいＴＡリストをＭＡコンテキストに記憶する。新しいＴＡリストは、それだけに限らないが、ＴＡＩ２を含む。ＴＡＵ受諾メッセージがＭＭＥ１によってＭＡに返され、新しいＧＵＴＩ、ＭＡに割り振られたＴＡリストを搬送する。ＴＡＵ受諾メッセージは、さらに、ＭＡでバインドされたＵＥの数や、負荷の割合を含むこともできる。
【００４９】
ＭＡにＴＡリストを割り振るとき、ＭＭＥ１は、ページングエリアのエリアを狭めるために、ＴＡリストに含まれるＴＡの数を減らしてもよい。
【００５０】
ＭＡが複数のＵＥでバインドされ、ＵＥに代わって位置更新を行うため、ＵＥの位置更新メッセージは大幅に減少する。ＭＭＥ１によってＭＡに割り振られるＴＡリスト内に含まれるＴＡの数が減少すれば、ｅＮｏｄｅＢがＵＥをページングするときに、ｅＮｏｄｅＢのブロードキャストメッセージはより小さいエリアにおいてＵＥに送信され、無線リソースが節約される。
【００５１】
第２の実施形態によれば、ＭＭＥ１は、ＵＥコンテキストをＭＡコンテキストと相関させ、ＵＥをＭＡでバインドし、ＵＥにバインド成功表示を送信する。バインド成功表示は、ＵＥに、ＵＥがＴＡにまたがって移動する間、ＴＡＵ要求を送信しないよう指示する。複数のＵＥでバインドされたＭＡによって送信される位置更新要求を受信した後で、ネットワーク側は、そのＭＡでバインドされたＵＥが対応する位置に移動したと判定する。したがって、移動するＵＥの位置は、ＭＡでバインドされた各ＵＥにそれぞれ位置更新要求を送信するよう要求せずに判定することができ、ネットワークの処理負荷が軽減される。
【００５２】
実施形態３
【００５３】
図３に示すように、本発明の第３の実施形態によるモビリティ管理の方法は、マルチホストモードを使用してＵＥをＭＡでバインドする。この方法は以下のステップを含む。
【００５４】
Ｍ１．ＵＥはバインド要求であるＴＡＵ要求を送信する。ＵＥは、ＵＥ自体がＭＡでバインドされることを確認した後で、いつでもバインドを開始し得る。要求は、ネットワークによってＵＥに割り振られるＧＵＴＩ、ＵＥによって選択されるＭＡのＩＤ、ＭＡのＧＵＴＩ、およびバインド表示を搬送する。
【００５５】
マルチホストの解決策では、ＲＡＮはＴＡＵ要求を、ＭＡが登録するＭＭＥ１に経路指定する必要はない。したがって、ＵＥは、そのＧＵＴＩを、ＴＡＵ要求内の「ＵＥ  ＧＵＴＩ」フィールドに書き込み、ＭＡのＧＵＴＩを要求の別のフィールドに書き込む。
【００５６】
ＴＡＵ要求の「ＵＥ  ＧＵＴＩ」フィールドのＧＵＴＩに含まれるＭＭＥコードに従って、ＲＡＮは、ＵＥが現在ＭＭＥ２に登録されていると判定し、ＴＡＵ要求をＭＭＥ２に経路指定する。
【００５７】
Ｍ２．ＭＭＥ２は、ＴＡＵ要求内のＵＥ  ＧＵＴＩに従ってＵＥコンテキストを探し出し、ＭＡのＩＤまたはＧＵＴＩに従って、ＭＡが現在ＭＭＥ２に登録されているかどうか判断する。ＭＡが現在ＭＭＥ２に登録されていない場合、ＭＭ２は、ＭＭＥ２上に補助ＭＡコンテキストが存在するかどうか判断する。ＭＭＥ２上に補助ＭＡコンテキストが存在する場合、ＭＭＥ２は補助ＭＡコンテキストをＵＥコンテキストと直接相関させ、補助ＭＡコンテキスト内のバインドされたＵＥの数のカウンタを１増やす。ＭＭＥ２上に補助ＭＡコンテキストが存在しない場合、ＭＭＥ２は補助ＭＡコンテキストを作成し、補助ＭＡコンテキストをＵＥコンテキストと相関させ、補助ＭＡコンテキスト内のバインドされたＵＥの数のカウンタを１に設定する。その後、ＭＡのＧＵＴＩに従って、ＭＭＥ２は、ＭＭＥ１上にＭＡコンテキストが存在すると判定し、ＭＭＥ１とのコンテキスト相関関係を作成する。ＭＡが現在ＭＭＥ２に登録されていると判定した場合、ＭＭＥ２は、ＭＡコンテキストをＵＥコンテキストで直接バインドする。
【００５８】
具体的には、ＭＭＥ２は、ＭＭＥ１とのコンテキスト相関関係を以下のように作成する。ＭＭＥ２はＭＭＥ１にコンテキスト相関要求を送信し、この要求は、補助ＭＡコンテキストがＭＭＥ２上ですでに作成されていることを表示する。補助ＭＡコンテキストは、ＭＭＥ１が登録するＭＭＥ１のアドレスと、対応するＭＡコンテキストのＩＤとを含む。ＭＡが登録するＭＭＥ１のアドレスは、ＭＡのＧＵＴＩに含まれるＭＭＥコードに従ってドメイン名システム（ＤＮＳ：Domain Name System）サーバから検索され得る。コンテキスト相関要求は、対応するＭＡコンテキストのＩＤと、対応する補助ＭＡコンテキストのＩＤとを含む。対応するＭＡコンテキストのＩＤは、ＭＭＥ１がＭＡコンテキストを探し出すのに使用され、ＭＡのＧＵＴＩとしてもよい。対応するＭＡコンテキストの識別子に従って、ＭＭＥ１は、対応するＭＡコンテキストを探し出し、ＭＭＥ２上の（ＭＭＥ２のアドレスと補助ＭＡコンテキストのＩＤとを含む）補助ＭＡコンテキストに関する情報をＭＡコンテキストに記憶し、ＭＭＥ２にコンテキスト相関応答を送信する。ＭＭＥ２上に補助ＭＡコンテキストが存在する場合、それは、コンテキスト相関関係が、ＭＭＥ２とＭＭＥ１との間ですでに作成されていることを示し、ＵＥがＭＭＥ２に対してバインドされる都度、ＭＭＥ２がＭＭＥ１にコンテキスト相関関係更新要求を送信する必要はない。代わりに、相関関係が作成された後で、ＭＭＥ２はＭＭＥ１に周期的にコンテキスト相関関係更新メッセージを送信し得る。このメッセージは、（ＭＭＥ２上に補助ＭＡコンテキストが存在するかどうか表示する）ＭＡコンテキストの状態および／または補助ＭＡコンテキストでバインドされたＵＥの数を搬送する。補助ＭＡコンテキストでバインドされたＵＥの数は、ＭＭＥ１が、ＭＭＥ２上に補助ＭＡコンテキストが存在するかどうかチェックしかつ／またはＭＭＥ１がＭＭＥ２上の補助ＭＡコンテキストでバインドされたＵＥの数を取得し、ＭＡコンテキストと相関するすべての補助ＭＡコンテキストでバインドされたＵＥの数をカウントするのに使用される。
【００５９】
Ｍ３．ＭＭＥ２はＵＥにバインド成功表示を返す。バインド成功表示は、バインドの成功を表示するＴＡＵ受諾メッセージとすることができる。
【００６０】
あるいは、ＭＭＥ２はＵＥにバインド成功表示を返さなくてもよい。代わりに、ＵＥは、バインド要求を送信した後で、ＭＭＥ１から応答メッセージが受信されない場合に、バインドに成功したとみなす。
【００６１】
バインドに成功した後、ＵＥは、ＴＡにまたがって移動している間、次のＴＡＵ要求を送信しない。ＴＡＵ要求は位置更新要求である。しかし、ＵＥはこの時点では、引き続きまだ、ネットワーク側のＭＡとのバインド関係を維持するために周期的なＴＡＵ手順を開始することができる。さらに、ＵＥは、バインド期間にＭＡからの告知メッセージを受信し続けてもよく、告知メッセージから、ＭＭＥによりＭＡに割り振られる新しいＴＡリストを取得し、その新しいＴＡリストを、ＵＥ自体の現在のＴＡリストとして使用する。とはいえ、ＵＥはＭＭＥに、バインド解除時にＵＥにＴＡリストを割り振るよう要求してもよい。
【００６２】
前述のステップでは、ＵＥとＭＡとのバインドを実施する。以下では、ＭＡがどのようにしてバインドされたＵＥに代わって位置更新を行うか説明する。
【００６３】
Ｍ４．ＭＡは、ｅＮｏｄｅＢによって送信されるブロードキャスト信号を検出し、ＭＡが、ＭＭＥ１によってＭＡに割り振られたＴＡリスト範囲から出て、目標ＴＡ（ＴＡ２）に入ったことを知り、ＭＡは、ＴＡＵ要求メッセージを送信する。ｅＮｏｄｅＢは、ＴＡＵ要求メッセージを受信し、ＴＡＵ要求メッセージに目標識別子（ＴＡＩ２）を追加し、そのメッセージを送信する。ＭＡが登録する元のＭＭＥ１が引き続きまだＴＡ２にサービスすることができると仮定して、ｅＮｏｄｅＢはＴＡＵ要求メッセージをＭＭＥ１に経路指定する。
【００６４】
Ｍ５．ＴＡＵ要求メッセージを受信した後で、ＭＭＥ１は、ＭＡコンテキストを探し出し、ＭＡに新しいＴＡリストを割り振り、新しいＴＡリストをＭＡコンテキストに記憶する。新しいＴＡリストは、それだけに限らないが、ＴＡＩ２を含む。ＭＡコンテキストに従って、ＭＭＥ１は、他のＭＭＥとコンテキスト相関関係が作成されることを確認する。ネットワーク構成により、ネットワークがＴＡリスト内のＵＥへのページングを直接開始することが決定される場合、ＭＭＥ１は、ＭＡコンテキストから、相関されるＭＭＥのアドレスと、対応する補助ＭＡコンテキストのＩＤとを取得し、（ＭＭＥ２等の）相関されるＭＭＥにＴＡＵ通知メッセージを送信する。このメッセージは、ＭＭＥ１によってＭＡに割り振られた新しいＴＡリストと、対応する補助ＭＡコンテキストのＩＤとを搬送する。メッセージを受信した後、ＭＭＥ２は対応する補助ＭＡコンテキストのＩＤに従って補助ＭＡコンテキストを探し出し、新しいＴＡリストを補助ＭＡコンテキストに記憶する。ネットワークがＴＡリスト内のＵＥを直接ページングせず、ＭＡがページングを転送する場合、ＭＭＥ２は、必ずしもこのステップで補助コンテキスト内のＴＡリストを更新するとは限らない。
【００６５】
Ｍ６．ＭＭＥ２はＭＭＥ１にＴＡＵ応答メッセージを返す。
【００６６】
Ｍ７．ＭＭＥ１はＭＡにＴＡＵ受諾メッセージを返す。ＴＡＵ受諾メッセージは、ＭＡに割り振られた新しいＧＵＴＩおよびＴＡリストと、すでにＭＡでバインドされているＵＥの数とを搬送する。
【００６７】
第３の実施形態では、ＵＥをＭＡでバインドするために、ＵＥが登録するＭＭＥ２は、ＵＥコンテキストを補助ＭＡコンテキストと相関させ、ＭＭＥ２とＭＡが登録するＭＭＥ１との間にＭＡコンテキスト相関関係を確立する。ＭＭＥ２はＵＥにバインド成功表示を送信する。バインド成功表示はＵＥに、ＵＥがＴＡにまたがって移動する間、ＴＡＵ要求を送信しないよう指示する。複数のＵＥでバインドされたＭＡによって送信される位置更新要求を受信した後、ネットワーク側は、そのＭＡでバインドされたＵＥが対応する位置に移動したと判定する。したがって、移動するＵＥの位置は、ＭＡでバインドされた各ＵＥにそれぞれ位置更新要求を送信するよう要求せずに決定することができ、ネットワークの処理負荷が軽減される。この実施形態では、ＭＡコンテキスト相関関係は、２つのＭＭＥ間の直接メッセージ交換を通じて作成される。実際の適用例では、例えば、ＭＡが登録するＭＭＥが、ＵＥが登録するＭＭＥと緩やかな結合関係にあるとき、この相関関係は、中間ネットワーク要素がメッセージ転送を行うようなやり方で作成されてもよい。
【００６８】
実施形態４
【００６９】
図４に示すように、本発明の第４の実施形態は、ＭＡが移動基地局（ＭＢＳ：Mobile Base Station）の機能を提供するようにＭＡの機能を強化する。ＵＥは、ＭＡを介してバインドを行い、ＵＥをシングルホストモードにおいてＭＡでバインドする。この方法は以下のステップを含む。
【００７０】
Ｎ１．ＵＥはＭＡにＴＡＵ要求を送信する。ＴＡＵ要求はバインド要求であり、ＵＥのＧＵＴＩを搬送し、さらにＭＡに関連する情報も搬送し得る。ＭＡに関連する情報は、ＭＡのＩＤ、ＭＡが現在位置しているＴＡ、およびＭＡのＧＵＴＩを含む。ＴＡＵ要求がＭＡに関連する情報を搬送しない場合、ＭＡはＴＡＵ要求にＭＡに関連する情報を追加する。
【００７１】
Ｎ２．ＭＡは、ＭＡが登録するＭＭＥ１にＴＡＵ要求メッセージを送信する。
【００７２】
ＴＡＵ要求がさらにＲＡＮを通るかどうかに関しては、ＭＡによって選択されるバックホール方式に依存する。ＭＡが現在の移動通信ネットワークの無線リンクをバックホールとして選択する場合、メッセージはＲＡＮを通る必要がある。ＭＡが、衛星、ＷＬＡＮ（Wireless Local Area Network）、ＷｉＭＡＸ（Worldwide Interoperability for Microwave Access）等の他のバックホール方式を選択する場合、メッセージはＲＡＮを通る必要がない。
【００７３】
Ｎ３〜Ｎ６はＬ２〜Ｌ５と同じである。
【００７４】
第４の実施形態では、ＵＥは、ＭＡを介してＭＭＥ１にＴＡＵ要求を送信する。ＭＭ１は、ＵＥコンテキストをＭＡコンテキストと相関させ、ＵＥをＭＡでバインドし、ＵＥにバインド成功表示を送信する。バインド成功表示はＵＥに、ＵＥがＴＡにまたがって移動する間、ＴＡＵ要求を送信しないよう指示する。ネットワーク側が、複数のＵＥでバインドされたＭＡによって送信される位置更新要求を受信した後で、ネットワーク側は、そのＭＡでバインドされたＵＥが対応する位置に移動したと判定する。したがって、移動するＵＥの位置は、ＭＡでバインドされた各ＵＥにそれぞれ位置更新要求を送信するよう要求せずに決定することができ、ネットワークの処理負荷が軽減される。
【００７５】
第４の実施形態では、シングルホストモードが適用されるものと仮定して、ＭＡを介してＵＥによって行われるバインドのモードを説明している。マルチホストモードが適用される場合、その実施方法は、ＵＥがバインド要求を送信すること、ＭＡまたはアクセス収束ゲートウェイがＵＥのバインド要求をＵＥが登録するＭＭＥに経路指定することを含む。後続のステップはＭ３およびＭ７と同じである。
【００７６】
ＭＡがＵＥでバインドされた後で、このシナリオの続きにはいくつかの種類がある。ネットワーク側がバインドされたＵＥをページングする。ネットワーク側とＵＥとの間でシグナリング接続が作成された後でバインド関係が生じる。ＭＡが、バインドされたＵＥに、再度バインドされまたはバインド解除されるよう通知する。
【００７７】
Ｉ．ネットワーク側がバインドされたＵＥをページングする。
【００７８】
ＵＥがＭＡでバインドされた後、ネットワーク側はＭＡの現在位置をＵＥの現在位置とみなす。したがって、ネットワーク側は、ＭＡの現在のＴＡリスト（すなわち、ＭＡに割り振られたＴＡリスト）内のＵＥをページングしてもよい。
【００７９】
以下の３つのページングモードが適用できる。
【００８０】
１．ＭＭＥ内のＭＡコンテキストまたは補助ＭＡコンテキストは、常に、ＭＡに割り振られたＴＡリストを記憶する。したがって、ＵＥが現在登録されているＭＭＥは、ＲＡＮに、ＭＡのＴＡリスト内のＵＥを直接ページングするよう指示し得る。
【００８１】
ページングの成功率を上げるために、ＭＭＥはＲＡＮに、ＭＡのＴＡリスト内のページングエリア（すなわち、ＭＡの現在のページングエリア）においてページングメッセージを送信するのみならず、ＭＡのＴＡリストの周りのセルにおいてもページングメッセージを送信するよう指示してもよい。これにより、ＭＡがページングエリアの縁部に位置する場合に、バインドされたＵＥがページングエリアの外側の近接するセル内にあり、ページングメッセージを受信することができないときに発生するページング障害が回避される。
【００８２】
２．ＵＥは、ＵＥがネットワークにおいてシングルホストモードでＭＡでバインドされているとき、ＭＡを介してページングされる。
【００８３】
ＭＡが登録するＭＭＥ１が、ＵＥへのページングを開始しようと決定する。ＭＭＥ１はまずＭＡにページングメッセージを送信し、ＭＡは、ＭＡ自体のカバレージ内でそのページングメッセージをブロードキャストする。ページングメッセージを受信した後、ＵＥはＭＡに、ページングメッセージのブロードキャストを停止するよう通知し、ＭＭＥ１にサービス要求メッセージを送信することによりページングに応答する。
【００８４】
３．ＵＥは、ＵＥがネットワークにおいてマルチホストモードでＭＡでバインドされているとき、ＭＡを介してページングされる。
【００８５】
Ｐ１．ＭＭＥ２が、ＵＥをページングすることを決定し、ＵＥコンテキストが補助ＭＡコンテキストと相関関係を有することを知る。ＭＭＥ２は、補助ＭＡコンテキストからＭＡが登録するＭＭＥ１のアドレスを取得し、ＭＭＥ１にページングメッセージを送信する。ページングメッセージは、宛先ＵＥのＩＤを搬送する。
【００８６】
Ｐ２．ページングメッセージを受信した後で、ＭＭＥ１はＭＡにページングメッセージを送信する。
【００８７】
Ｐ３．ＭＡは、ＵＥをページングするために、ＭＡのカバレージエリア内でページングメッセージをブロードキャストする。
【００８８】
Ｐ４．ページングメッセージを受信した後で、ＵＥはＭＡに、ページングメッセージのブロードキャストを停止するよう指示し、ページングメッセージに応答して、ＭＭＥ２にサービス要求メッセージを送信してもよい。
【００８９】
ＵＥがＭＡを介してページングされる場合、ＭＡが無線アクセスを介してネットワーク側に接続されており、ネットワーク側への無線接続が解除された場合には、ＵＥ宛てのページングメッセージをＭＡに送信する前に、無線接続を再度作成するために、まずＭＡをページングする必要が生じ得る。ＭＡが固定されたアクセスを介してネットワーク側に接続されている場合、例えば、ＭＡが映画館や競技場に配置されているとき、ＵＥ宛てのページングメッセージは、ＭＡに直接送信されてもよい。
【００９０】
ＩＩ．ネットワーク側とＵＥとの間でシグナリング接続が設定された後のバインド関係
【００９１】
ＭＡが、ＵＥとネットワークとの間のシグナリングまたはユーザプレーンデータを転送することができず、ＵＥがサービスを実行する必要がある場合、または、ＵＥが、ページングメッセージを受信した後で、ＵＥが登録する（ＭＭＥ２等の）現在のＭＭＥにサービス要求メッセージを送信する必要がある場合、ＭＭＥ２は、サービス要求メッセージを受信し、ＵＥのサービス要求メッセージに応答するために、ＲＡＮを介してＵＥへのシグナリング接続を設定する。さらに、ＭＭＥ２は、ＵＥの要求に従って、ＵＥとＲＡＮとの間のベアラを回復する。ＵＥとネットワークとの間でシグナリング接続が設定されている場合、ＵＥは、あたかもＵＥがＭＡでバインドされていないかのように、ハンドオーバ手順およびＴＡＵ手順をトリガする。
【００９２】
ＵＥとネットワーク側との間でシグナリング接続が設定されている場合、ＵＥとＭＡとのバインド関係に以下の２つの処理方式を適用することができる。
【００９３】
１．ＵＥとＭＡとのバインド関係は、ＵＥとＭＭＥとの両方でクリアされる。シグナリング接続が解除された後で、ＵＥはアイドル状態になり、再度元のＭＡでバインドされ、またはバインドのための新しいＭＡを選択する。
【００９４】
具体的には、シングルホストモードでは、ＭＡが登録するＭＭＥ１（ＭＭＥ１はＵＥコンテキストを取得しているため、ＭＭＥ１はＵＥが登録する現在のＭＭＥでもある）は、ＭＡコンテキストとＵＥコンテキストとのバインド関係を削除する。マルチホストモードでは、ＵＥが登録するＭＭＥ２は、補助ＭＡコンテキストとＵＥコンテキストとのバインド関係を削除し、バインドされたＵＥの数のカウンタを１減らす。カウンタの値が０を示すとき、ＭＭＥ２は、補助ＭＡコンテキストから、ＭＡが登録するＭＭＥ１に関する情報を取得し、コンテキスト相関関係を削除する命令としてＭＭＥ１に通知メッセージを送信する。この通知メッセージは、（ＭＡのＧＵＴＩ等の）対応するＭＡコンテキストのＩＤを搬送する。ＭＭＥ１は、ＭＭＥ２とのコンテキスト相関関係を削除するために、ＭＡコンテキストから、ＭＭＥ２のアドレスおよび対応する補助ＭＡコンテキストのＩＤを削除する。
【００９５】
前述のように、バインド関係は、ＵＥとネットワーク側との間でシグナリング接続が設定されるときにＵＥとＭＡとの間でクリアされ、よって、ＵＥがそれ自体をＭＡのカバレージエリアから出たものとして検出した後でトリガされるバインド解除手順が回避され、ネットワーク処理が簡略化される。
【００９６】
２．ＵＥは、たとえＵＥとネットワーク側との間でシグナリング接続が設定されても、ＭＭＥとのバインド関係を保持する。この場合、ＵＥがそれ自体をバインドされたＭＡのカバレージエリアから出たものとして検出した後で、ＵＥは、バインド解除手順を開始して、ネットワーク側に、ＵＥがＭＡのカバレージエリアを退出したことを通知する必要がある。
【００９７】
ＩＩＩ．ＭＡがバインドされたＵＥに再度バインドされるよう通知する。
【００９８】
ＵＥがＭＡでバインドされた後、ＵＥは、ＴＡにまたがって移動している間、次のＴＡＵ手順を開始せず、よって、ＴＡＵ要求メッセージが低減される。しかし、ＭＡが広い範囲を移動し、ＭＭＥがハンドオーバする必要があるとき、ＭＡが登録するＭＭＥが変化しており、シングルホスト方式では、ＭＡでバインドされたすべてのＵＥのコンテキストが新しいＭＭＥに移行される必要がある。マルチホスト方式では、バインドされたＵＥの全部または一部が、（必ずしも、ＭＡの移行先である新しいＭＭＥと同じであるとは限らない）新しいＭＭＥに移行される必要が生じる場合があり、ＭＡが登録するＭＭＥが変化しているため、ＭＡが登録する新しいＭＭＥとＵＥが登録するＭＭＥとのＭＡコンテキスト相関関係は、再度設定される必要がある。この実施形態では、ネットワーク側は、まず、ＵＥとＭＡとのすべてのバインド関係を解除し、次いで、ＭＡに通知する。ＭＡはバインドされたＵＥに、ＴＡＵ手順を開始して再度バインドを実行するよう通知する。図５に示すように、詳細なプロセスは以下のステップを含む。
【００９９】
Ｑ１．ＭＡは、ＴＡリスト内のＴＡから出て別のＴＡに入り、ＴＡＵ要求メッセージを送信する。このメッセージは第２の位置更新要求である。ＭＡが登録する元のＭＭＥは新しいＴＡにサービスすることができないため、ＲＡＮは新しいＭＭＥ（ＭＡが登録する新しいＭＭＥ、すなわちＭＭＥ６）を選択し、ＴＡＵ要求メッセージをＭＭＥ６に経路指定する。
【０１００】
Ｑ２．ＭＭＥ６は、ＭＡが登録する元のＭＭＥ（ＭＡが登録する元のＭＭＥ、すなわちＭＭＥ５）に、ＭＡコンテキストを取得するよう求める要求を送信する。
【０１０１】
Ｑ３．ＭＭＥ５がコンテキストを取得するよう求める要求を受信した後で、ＭＡがマルチホストモードでＵＥでバインドされている場合、ＭＭＥ５は、ＭＡコンテキストから、相関関係を有するＭＭＥのアドレスと、対応する補助ＭＡコンテキストのＩＤとを取得し、コンテキスト相関関係を削除する命令として、すべての相関関係を有するＭＭＥに通知メッセージを送信する。通知メッセージは、対応する補助ＭＡコンテキストのＩＤを搬送する。ＭＡコンテキスト相関関係を削除する通知メッセージを受信した後で、（ＵＥが登録する元のＭＭＥ、すなわちＭＭＥ３等の）相関関係を有するＭＭＥは、対応する補助ＭＡコンテキストを探し出し、ＭＡコンテキストとＵＥとのバインド関係をクリアし、補助ＭＡコンテキストを削除し、応答をＭＭＥ５に送信する。
【０１０２】
Ｑ４．ＭＭＥ５は、ＭＡコンテキストとＵＥコンテキストとのバインド関係がＭＭＥ５およびすべての相関関係を有するＭＭＥ上でクリアされた後で、（すなわち、相関関係を有するＭＭＥ上の補助ＭＡコンテキストとＵＥコンテキストとのバインド関係がクリアされ、ＭＭＥ５上のＭＡコンテキストに記憶されている、相関関係を有するＭＭＥのアドレスおよび対応する補助ＭＡコンテキストのＩＤがクリアされた後で）ＭＭＥ６にＭＡコンテキストを送信する。
【０１０３】
Ｑ５．ＨＳＳ上で、ＭＭＥ６は、ＭＭＥ６自体を、ＭＡが登録する現在のＭＭＥとして登録する。
【０１０４】
Ｑ６．ＭＭＥ６は、ＭＡに新しいＧＵＴＩおよびＴＡリストを割振り、ＭＡにＴＡＵ受諾メッセージを返す。このメッセージは、ＭＡに割り振られた新しいＧＵＴＩおよびＴＡリストと、再バインド表示とを搬送する。
【０１０５】
Ｑ７．ＴＡＵ受諾メッセージを受信した後で、ＭＡは、再バインド表示に従って、ＵＥを再バインドする必要を確認し、ＭＡでバインドされたすべてのＵＥに再バインド告知メッセージを送信する。再バインド告知メッセージは、そのようなＵＥに、再バインド手順を実行するよう指示する。
【０１０６】
Ｑ８．再バインド告知メッセージを受信した後で、ＵＥはＴＡＵ要求メッセージを開始する。このメッセージは、ＵＥのＧＵＴＩ、ＭＡのＩＤ、ＭＡのＧＵＴＩ（ＭＭＥ６によってＭＡに割り振られた新しいＧＵＴＩ）、およびバインド表示を搬送する。
【０１０７】
再バインド告知メッセージを受信した後で、各ＵＥは、多くのＵＥが短時間にＴＡＵ再バインドを開始するのを防ぐために、次のＴＡＵ要求メッセージを送信する前にランダムな期間にわたり待機し、それによって生じるネットワークへの影響を緩和してもよい。
【０１０８】
マルチホストモードで、ＲＡＮは、メッセージで搬送されたＵＥのＧＵＴＩに従って、ＴＡＵ要求メッセージを、ＵＥが登録する元のＭＭＥ（ＭＭＥ３）に経路指定する。ＭＭＥ３が、新しいＴＡに入るＵＥにサービスすることができない場合、ＲＡＮは、ＴＡにサービスすることのできる別のＭＭＥを選択し（例えば、ＵＥが登録する新しいＭＭＥとしてＭＭＥ４を選択し）、ＴＡＵ要求メッセージをＭＭＥ４に経路指定する。
【０１０９】
Ｑ９．ＭＭＥ４はＭＭＥ３からＵＥコンテキストを取得する。
【０１１０】
Ｑ１０．ＭＡのＩＤまたはＧＵＴＩに従って、ＭＭＥ４は、ＭＭＥ４自体が、ＭＡが登録する現在のＭＭＥではないことを確認し、ＭＭＥ４上に補助ＭＡコンテキストが存在するかどうか判断する。補助ＭＡコンテキストが存在する場合、ＭＭＥ４は補助ＭＡコンテキストをＵＥコンテキストと直接相関させる。補助ＭＡコンテキストが存在しない場合、ＭＭＥ４は、補助ＭＡコンテキストを作成し、補助ＭＡコンテキストをＵＥコンテキストと相関させる。その後、ＭＡのＧＵＴＩに従って、ＭＭＥ４は、ＭＡコンテキストがＭＭＥ６上に存在すると判定し、ＭＭＥ６とのコンテキスト相関関係を作成する。この場合の再バインド手順の原理は、初期バインドの原理と同じである。
【０１１１】
Ｑ１１．ＨＳＳ上で、ＭＭＥ４はＭＭＥ４自体をＵＥが登録する現在のＭＭＥとして登録する。
【０１１２】
Ｑ１２．ＭＭＥ４はＵＥにＴＡＵ受諾メッセージを返す。このメッセージは、ＭＭＥ４によってＵＥに割り振られた新しいＧＵＴＩを搬送する。
【０１１３】
以上では、マルチホストモードでＭＡをＵＥで再バインドする手順を説明している。ＭＡがシングルホストモードでＵＥでバインドされる場合、ＭＡが登録する元のＭＭＥ（ＭＭＥ５）は、ＵＥが登録する元のＭＭＥ（ＭＭＥ３）と同じであり、ＭＡが登録する新しいＭＭＥ（ＭＭＥ６）はＵＥが登録する新しいＭＭＥ（ＭＭＥ４）と同じである。この場合には、上記の説明とは異なり、Ｑ２のＭＭＥ６はＭＭＥ５に、コンテキストの取得を求める要求と、ＭＡとＵＥとのバインド関係をクリアするという表示を送信し、Ｑ３のＭＭＥ５は、ＭＡとＵＥとのバインド関係をクリアする、すなわち、ＭＡコンテキストとＵＥコンテキストとの相関関係をクリアする。Ｑ１０のＭＭＥ４は、ＭＡコンテキストとＵＥコンテキストとのバインド関係を設定する。
【０１１４】
まとめると、ＭＡはＵＥに再バインドを行うよう指示し、したがって、ＭＡがＭＭＥハンドオーバを行うとき、ＭＡは、ネットワークが、バインドされたＵＥがＭＭＥハンドオーバの後でＭＡの移動と一緒に移動していると判定することができるように、再度ＵＥでバインドされる。
【０１１５】
ＩＶ．バインド解除手順が開始される。
【０１１６】
１．ＵＥは、ＵＥ自体がＭＡのカバレージから出たことを検出した後で、ＴＡＵバインド解除手順を開始する。図６に、ＵＥによってトリガされるバインド解除手順を示す。この手順は以下のステップを含む。
【０１１７】
Ｒ１．ＵＥは、ＭＡ信号の強度が事前設定閾値より低いこと、またはＭＡブロードキャストメッセージが、ＵＥがバインド解除されるよう要求していることを検出し、したがって、ＵＥはＴＡＵ要求を開始する。ＴＡＵ要求はバインド解除要求であり、ＵＥのＧＵＴＩ、ＭＡのＩＤ、およびバインド解除表示を搬送する。ＴＡＵ要求はＭＭＥ２（ＵＥが登録する現在のＭＭＥ）に経路指定される。
【０１１８】
Ｒ２．シングルホストモードでは、ＵＥコンテキストはバインド時にＭＡが登録する現在のＭＭＥ１に移行されるため、ＵＥが登録する現在のＭＭＥ２はＭＡが登録する現在のＭＭＥ１と同じである。したがって、ＭＭＥ１はＭＡコンテキストとＵＥコンテキストとのバインド関係を削除する。マルチホストモードでは、ＵＥが登録する現在のＭＭＥ２は、ＵＥコンテキストが補助ＭＡコンテキストと相関関係を有することを確認し、カウンタを１減らす。カウンタの値が０を示すとき、ＭＭＥ２は、補助ＭＡコンテキストからＭＡが登録する現在のＭＭＥ１に関する情報を取得し、コンテキスト相関関係を削除する命令としてＭＭＥ１に通知メッセージを送信する。通知メッセージを受信した後、ＭＭＥ１は、ＭＡコンテキストからＭＭＥ２に関する情報および対応する補助ＭＡコンテキストのＩＤを削除する。（図に示されているのはマルチホストモードである。）
【０１１９】
あるいは、カウンタの値が０を示すとき、ＭＭＥ２は、コンテキスト相関関係を削除する命令としてＭＭＥ１に通知メッセージを送信せず、新しいＵＥが短時間にＭＡでバインドされることを必要とするかどうかチェックするために、３０秒等の期間にわたり待機する。新しいＵＥが短時間にＭＡでバインドされることを必要とする場合、ＭＭＥ２は、コンテキスト相関関係を削除する命令として通知メッセージを送信せず、そうでない場合、ＭＭＥ２は通知メッセージを送信する。
【０１２０】
Ｒ３．ＭＭＥ２はＵＥに新しいＧＵＴＩおよびＴＡリストを割り振り、ＵＥにＴＡＵ受諾メッセージを送信する。このメッセージは、ＵＥに割り振られた新しいＧＵＴＩおよびＴＡリストを搬送する。
【０１２１】
バインド解除手順の後、ＵＥがＴＡリスト内のＴＡから出て新しいＴＡに入ると、ＵＥは、先行技術と同様に、ＴＡＵ手順を開始して位置変更を通知する。
【０１２２】
まとめると、ＵＥは、ＵＥ自体がＭＡのカバレージから出たことを検出した後で、バインド解除のために自発的に（initiatively）ＴＡＵ手順を開始する。したがって、ＵＥがＭＡのカバレージから出た後でＭＡとＵＥとのバインド関係が確実に解除され、続いてＵＥが移動するとき、ＵＥは、ＭＡの移動に従ってユーザ・データの移動を決定するのではなく、先行技術と同様に引き続きＴＡＵ手順をトリガすることができ、ネットワーク側は、移動するＵＥの正しい位置を確実に取得することができる。
【０１２３】
２．状況によっては（例えば、ＭＡを装備したバスが終点に到着するときなど）、ＭＡはモビリティ・エージェント・サービスを停止しようとする場合もあり、あるいは、ＭＡのベアラ機能が低下したときに、ＭＡは、バインドされたＵＥを一括してバインド解除しようとする。図７に、ＭＡによってトリガされるバインド解除手順を示す。この手順は以下のステップを含む。
【０１２４】
Ｓ１．ＭＡは、現在のすべてのＵＥをバインド解除する命令を搬送するＴＡＵ要求を送信する。
【０１２５】
Ｓ２．ＭＡが登録する現在のＭＭＥ１はＴＡＵ要求を受信する。シングルホストモードが適用される場合、ＭＭＥ１は、ＵＥコンテキストとＭＡコンテキストとのすべてのバインド関係をクリアする。ＭＭＥ１が、ＭＡにＴＡリストを再割振りする際にＵＥコンテキスト内のＴＡリストをリフレッシュしたことがない場合には、必要条件として、ＭＭＥ１がすべてのバインドされたＵＥコンテキスト内のＴＡリストをＭＡの現在のＴＡリストに設定するというステップが実行される必要がある。マルチホストモードでは、ＭＭＥ１は、ＭＡコンテキストから、相関関係を有するＭＭＥに関する情報（相関関係を有するＭＭＥのアドレスおよび対応する補助ＭＡコンテキストのＩＤ）を取得し、コンテキスト相関関係を削除する命令として（ＭＭＥ２等の）相関関係を有するＭＭＥに通知メッセージを送信する。通知メッセージは、対応する補助ＭＡコンテキストのＩＤを搬送する。ＭＭＥ１が、ＭＡにＴＡリストを再割振りする際にＭＭＥ２に通知を行ったことがない場合、コンテキスト相関関係を削除するという通知メッセージは、さらに、ＭＡの現在のＴＡリストを搬送する。ＭＭＥ２は、補助ＭＡコンテキストのＩＤに従って補助ＭＡコンテキストを探し出し、補助ＭＡコンテキストと相関関係を有するＵＥコンテキスト内のＴＡリストをＭＡの現在のＴＡリストに設定し、補助ＭＡコンテキストとＵＥコンテキストとのバインド関係をクリアし、補助ＭＡコンテキストを削除し、ＭＭＥ１に応答を送信する。（図に示されているのはマルチホストモードである。）
【０１２６】
Ｓ３．ＭＡが登録する現在のＭＭＥ１はＭＡに、バインド解除の成功を表示するＴＡＵ受諾メッセージを返す。このメッセージはＭＡの現在のＴＡリストを搬送する。
【０１２７】
Ｓ４．ＭＡはＵＥに、バインド関係が解除されることを表示するバインド解除告知メッセージを送信する。バインド解除告知メッセージは、ＭＡの現在のＴＡリストを搬送する。
【０１２８】
バインド解除告知メッセージを受信した後で、ＵＥは、告知メッセージ内のＭＡの現在のＴＡリストをＵＥ自体の現在のＴＡリストとして記憶し、ＭＡでのバインドを解除する。すなわち、ＵＥは、ＵＥがＴＡリスト内のＴＡから出て新しいＴＡに入るとき、先行技術と同様にＴＡＵ手順を開始して位置変更を通知する。
【０１２９】
ＵＥとバインドされたＭＡとの間にはある距離が存在し得る。まれな状況では、バインドされたＵＥは、ＭＡからバインド解除告知メッセージを受信した後で、ＵＥがＭＡの現在のＴＡリスト内のＴＡから出たことを知る場合もある。この場合、ＭＭＥ２上に記憶されているＵＥコンテキスト内のＴＡリストは正確ではなく、ＵＥは、ＴＡＵ手順を開始してＵＥの正確な位置をＭＭＥ２に報告し、ＵＥにＴＡリストを再割振りするようＭＭＥ２に要求する必要がある。
【０１３０】
前述の例では、ＭＡはすべてのＵＥをバインド解除する。実際には、ＭＡは、ＵＥの一部をバインド解除してもよく、例えば、マルチホストモードの場合には、特定のＭＭＥに登録されているＵＥをバインド解除してもよい。実施モードは同様であり、ここではこれ以上説明しない。
【０１３１】
上記のＭＡによってトリガされるバインド解除により、ＭＡがＭＡとしてサービスすることができず、またはＭＡとしてのサービスを停止するとき、ＭＡとＵＥとのバインド関係は、バインドされた各ＵＥにそれぞれバインド解除手順を開始するよう要求せずに、一括してクリアすることができ、バインド解除のシグナリング負荷が軽減される。
【０１３２】
上記各実施形態では、ＵＥは、ＭＡでバインドされるために自発的にバインド要求を送信するが、これは本発明による技術的解決法の実施モードの一例にすぎず、本発明に対する限定と解釈されるものではない。実際には、ネットワーク側が自発的にＵＥでＭＡをバインドしてもよい。例えば、ネットワーク側がＭＡを正常に認証した後で（すなわち、ＭＡのモビリティエージェント機能を許可した後で）、ネットワーク側は、ＭＡの周りのＵＥでＭＡをバインドし、バインド操作の後でＵＥにバインド表示を送信する。バインド表示はＵＥに、ＵＥがＴＡにまたがって移動する間、ＴＡＵ手順を開始しないよう指示する。
【０１３３】
実施形態５
【０１３４】
図８に示すように、本発明の第５の実施形態によるモビリティ管理装置は、
ＭＡコンテキストをＵＥコンテキストでバインドするように構成されたバインド部８０１と、
バインド部８０１がＵＥコンテキストでＭＡコンテキストをバインドした後で、位置更新時に位置更新要求を送信しないようＵＥに指示するために、ＵＥにバインド成功表示を送信するように構成されたバインド成功表示送信部８０２と、
ＭＡによって送信される位置更新要求を受信するように構成された位置更新要求受信部８０３と、
バインド部がＵＥコンテキストでＭＡコンテキストをバインドした後で、位置更新要求に従って、ＭＡコンテキストを変更し、ＵＥがＭＡと一緒に移動すると判定するように構成された位置移動判定部８０４と、
を含む。
【０１３５】
あるいは、モビリティ管理装置は、バインド成功表示送信部８０２を含まなくてもよい。代わりに、ＵＥは、モビリティ管理装置に、ＭＡとＵＥとのバインドの成功を表示するバインド表示をＵＥに送信するよう要求せずに、ＵＥが、バインド要求送信後の特定の期間内に応答メッセージを受信しない場合、バインドが成功したとみなす。
【０１３６】
バインド部８０１は、
ＵＥをＭＡでバインドするよう求めるバインド要求を受信した後で、ＵＥがモビリティ管理装置に登録されているかどうか判断するように構成された判断部と、
判断部が、ＵＥがモビリティ管理装置に登録されていると判定した場合に、モビリティ管理装置からＵＥコンテキストを取得し、ＵＥがモビリティ管理装置に登録されていないと判定した場合に、ＵＥが登録する現在のＭＭＥからＵＥコンテキストを取得するように構成されたＵＥコンテキスト取得部と、
ＵＥコンテキスト取得部によって取得されるＵＥコンテキストをＭＡコンテキストに相関させるように構成された相関関係設定部と、
を含む。
【０１３７】
この装置は、ＭＡが以前にＭＭＥに登録したことがある場合、ＭＡがＭＭＥ間でハンドオーバし、モビリティ管理装置が、ＭＡが登録する新しいＭＭＥになった後で、ＭＡから第２の位置更新要求を受信した後でＭＡが登録する元のＭＭＥからＭＡコンテキストおよびＵＥコンテキストを取得し、ＭＡが登録する元のＭＭＥに、ＭＡコンテキストとＵＥコンテキストとのバインド関係をクリアするよう指示し、ＭＡに再バインド表示を搬送する位置更新受諾メッセージを送信するように構成されている再バインド通知部をさらに含む。バインド部８０１は、ＵＥをＭＡでバインドするよう求めるバインド要求を受信した後で、ＵＥコンテキストを、ＭＡが登録する元のＭＭＥから取得されるＭＡコンテキストでバインドするように構成される。
【０１３８】
この装置は、
バインド部がＭＡコンテキストをＵＥコンテキストでバインドした後で、ＲＡＮに、必要なときに、ＭＡの現在のページングエリア内のＵＥをページングするよう指示し、もしくは、ＲＡＮに、ＭＡの現在のページングエリアおよび現在のページングエリアの周りのセル内のＵＥをページングするよう指示し、もしくは、ＭＡにＵＥをページングするよう指示するためにＭＡにＵＥのＩＤを搬送するページングメッセージを送信するように構成されたページング指示部８０５と、
バインド部がＭＡコンテキストをＵＥコンテキストでバインドした後で、ＭＡからバインド解除表示を受信したときに、ＭＡコンテキストとＵＥコンテキストとのバインド関係を削除するように構成された第１のバインド解除部８０６と、
および／または、
バインド部がＭＡコンテキストをＵＥコンテキストにバインドした後で、ＵＥからバインド解除表示を受信したときに、もしくは、ＵＥとネットワーク側との間でシグナリング接続が作成されたときに、ＵＥコンテキストとＭＡコンテキストとのバインド関係を削除するように構成された第２のバインド解除部８０７と、
をさらに含む。
【０１３９】
この装置は、
ＵＥをＭＡでバインドするよう求めるバインド要求を受信するように構成されたバインド要求受信部と、
ＵＥをＭＡでバインドするよう求めるバインド要求を受信した後で、ＭＡコンテキストをＵＥコンテキストでバインドするように構成されたバインド部８０１と、
をさらに含んでもよい。
【０１４０】
第５の実施形態では、モビリティ管理装置のバインド部はＭＡコンテキストをＵＥコンテキストにバインドし、バインド成功表示送信部はＵＥに、ネットワークの処理負荷を軽減するために、位置更新時に位置更新要求を送信しないよう指示し、モビリティ管理装置は、ＭＡから位置更新要求を受信した後で、ＭＡでバインドされたＵＥが対応する位置に移動したと判定する。したがって、移動するＵＥの位置は、ＭＡでバインドされた各ＵＥにそれぞれ位置更新要求を送信するよう要求せずに決定することができる。
【０１４１】
本発明の別の実施形態によるモビリティ管理装置は、
ＭＡによって送られる第１の位置更新要求を受信するように構成された位置更新要求受信部と、
第１の位置更新要求およびＭＡコンテキストとＵＥコンテキストとのバインド関係に従って、ＵＥがＭＡと一緒に移動すると判定するように構成された位置移動判定部と、
を含む。
ＭＡコンテキストとＵＥコンテキストとのバインド関係は、ＵＥコンテキストとＵＥが登録するＭＭＥ上の補助ＭＡコンテキストとのバインド、および補助ＭＡコンテキストとＭＡが登録するＭＭＥ上のＭＡコンテキストとの相関関係を含む。
【０１４２】
実施形態６
【０１４３】
図９に示すように、本発明の第６の実施形態によるモビリティ管理装置が提供される。このモビリティ管理装置は、ＵＥがマルチホストモードで登録するＭＭＥとしてもよく、
補助ＭＡコンテキストを作成し、補助ＭＡコンテキストを、ＭＡが登録するＭＭＥ上のＭＡコンテキストと相関させるように構成された補助ＭＡコンテキスト作成部９０１と、
ＵＥコンテキストと補助ＭＡコンテキストでバインドするように構成されたバインド部９０２と、
ＵＥに位置更新時に位置更新要求を送信しないよう指示するために、補助ＭＡコンテキストが作成され、ＵＥコンテキストでバインドされた後で、ＵＥにバインド成功表示を送信するように構成されたバインド成功表示送信部９０３と、
を含む。
【０１４４】
あるいは、モビリティ管理装置は、バインド成功表示送信部９０３を含まなくてもよい。代わりに、ＵＥは、モビリティ管理装置に、ＭＡとＵＥとのバインドの成功を表示するバインド表示をＵＥに送信するよう要求せずに、ＵＥが、バインド要求送信後の特定の期間内に応答メッセージを受信しない場合、バインドが成功したとみなす。
【０１４５】
この装置は、
補助ＭＡコンテキスト作成部が、補助ＭＡコンテキストを、ＭＡが登録するＭＭＥ上のＭＡコンテキストと相関させた後で、ＭＡが登録するＭＭＥによって送信される、新しいページング・エリア・リストを搬送する位置更新要求を受信するように構成されたページング・エリア・リスト受信部９０４と、
ＲＡＮに、必要なときに、新しいページング・エリア・リストに列挙された現在のページングエリア内のＵＥをページングするよう指示し、もしくは、ＲＡＮに、新しいページング・エリア・リストに列挙された現在のページングエリアおよび現在のページングエリアの周りのセル内のＵＥをページングするよう指示するように構成された第１のページング部９０５と、
または、
バインド部がＵＥコンテキストを補助ＭＡコンテキストでバインドした後で、ページングが必要であるときにＭＡにＵＥをページングするよう指示するために、ＭＡが登録するＭＭＥを介してＭＡにページングメッセージを送信するように構成された第２のページング部と、
バインド部がＵＥコンテキストを補助ＭＡコンテキストでバインドした後で、ＵＥからバインド解除表示を受信したときに、もしくは、ＵＥとネットワーク側との間でシグナリング接続が作成されたときに、ＵＥコンテキストと補助ＭＡコンテキストとのバインド関係を削除するように構成された第１の削除部９０６と、
第１の削除部がＵＥコンテキストと補助ＭＡコンテキストとのバインド関係を削除した後で、バインドされたＵＥの数のカウンタを１減らすように構成されたカウンタ部９０７と、
カウンタの値が０を示すときに、コンテキスト相関関係を削除する命令として、ＭＡが登録するＭＭＥに通知メッセージを送信するように構成されたコンテキスト相関関係削除通知送信部９０８と、
ＭＡが登録するＭＭＥからコンテキスト相関関係を削除する通知メッセージを受信するように構成されたコンテキスト相関関係削除通知受信部９０９と、
コンテキスト相関関係を削除する通知メッセージを受信した後で、ＵＥコンテキストと補助ＭＡコンテキストとのバインドを削除し、補助ＭＡコンテキストを削除するように構成された第２の削除部９１０と、
をさらに含む。
【０１４６】
この装置は、ＵＥをＭＡでバインドするよう求めるバインド要求を受信するように構成されたバインド要求受信部と、ＵＥをＭＡでバインドするよう求めるバインド要求を受信した後で、ＵＥコンテキストを補助ＭＡコンテキストでバインドするように構成されたバインド部と、をさらに含んでもよい。
【０１４７】
第６の実施形態では、ＭＭＥの補助ＭＡコンテキスト作成部は、ＭＡが登録するＭＭＥとのコンテキスト相関関係のための補助ＭＡコンテキストを作成し、コンテキストバインド部は、ＭＡをＵＥでバインドするためにＵＥコンテキストを補助ＭＡコンテキストでバインドし、ネットワークの処理負荷を軽減するために、ＵＥに、位置更新時に位置更新要求を送信しないよう指示し、ＭＭＥは、ＭＡから位置更新要求を受信した後で、ＭＡでバインドされたＵＥが対応する位置に移動したと判定する。したがって、移動するＵＥの位置は、ＭＡでバインドされた各ＵＥにそれぞれ位置更新要求を送信するよう要求せずに決定することができる。
【０１４８】
実施形態７
【０１４９】
図１０に示すように、本発明の第７の実施形態によれば、ＵＥが提供される。このＵＥは移動端末であり、
ＵＥとＭＡとのバインドの成功を表示するバインド表示を取得するように構成されたバインド表示取得部１００１と、
ＵＥとＭＡとのバインドの成功を表示するバインド表示を取得した後で、ＵＥがアイドル状態で移動しているときの位置更新要求の送信を回避する制御するように構成された制御部１００２と、
を含む。
【０１５０】
具体的には、バインド表示取得部１００１は、ネットワーク側からＵＥとＭＡとのバインドの成功の表示を受信するように構成される。
【０１５１】
ＵＥは、ＵＥをＭＡでバインドするよう求めるバインド要求を送信するように構成されているバインド要求送信部１００３をさらに含み得る。
【０１５２】
ＵＥは、
対応するＭＡがモビリティエージェント機能を提供することを表示する、複数のＭＡによって送信される告知メッセージを受信するように構成された告知メッセージ受信部１００４と、
告知メッセージ受信部がＭＡから告知メッセージを受信した後で、ＵＥでバインドするためのＭＡを選択するように構成された選択部と、
をさらに含み得る。
【０１５３】
本発明の第７の実施形態では、ＵＥが移動している間、ＵＥは、ＵＥとＭＡとのバインドの成功の表示を取得した後で、位置更新要求を送信しない。したがって、ネットワークは大量の位置更新要求を非常に短時間で受信したり処理する必要がなく、ネットワークの処理負荷が軽減される。
【０１５４】
実施形態８
【０１５５】
図１１に示すように、本発明の第８の実施形態によるＭＡは、
ネットワーク側にモビリティエージェント機能の許可を要求するための認証要求を送信するように構成された認証要求送信部１１０１と、
ネットワーク側によってフィードバックされる認証結果を受信するように構成された認証結果受信部１１０２と、
ＵＥがＭＡのモビリティエージェント機能を確認するように、ＵＥに認証結果を搬送する告知メッセージを送信するように構成された告知送信部１１０３と、
を含む。
【０１５６】
ＭＡは、
ＭＡが登録するＭＭＥにバインド解除表示を送信するように構成されたバインド解除表示送信部と、
ＭＡが登録する新しいＭＭＥによって送信される再バインド表示を受信するように構成された再バインド表示受信部と、
再バインド告知メッセージを送信するように構成された再バインド告知メッセージ送信部と、
ＭＡが登録するＭＭＥからＵＥのＩＤを搬送するページングメッセージを受信し、ページングメッセージに従ってＵＥをページングするように構成されたページング部と、
をさらに含む。
【０１５７】
第８の実施形態によるＭＡは、移動に関してＵＥを代行する。
【０１５８】
実施形態９
【０１５９】
本発明の第９の実施形態による通信システムは、
補助ＭＡコンテキストを作成し、補助ＭＡコンテキストを、ＭＡが登録するＭＭＥ上のＭＡコンテキストと相関させ、ＵＥコンテキストを補助ＭＡコンテキストでバインドするように構成された、ＵＥが登録するＭＭＥであって、
ＭＡコンテキストを作成し、ＭＡコンテキストを、ＵＥが登録するＭＭＥ上の補助ＭＡコンテキストと相関させ、ＭＡによって送信される位置更新要求を受信し、位置更新要求に従って、補助ＭＡコンテキストでバインドされたＵＥコンテキストに対応するＵＥがＭＡと一緒に移動すると判定するように構成された、ＭＡが登録するＭＭＥと、
を含む。
【０１６０】
第９の実施形態では、ＭＡコンテキストは補助ＭＡコンテキストと相関され、ＵＥコンテキストは、ＭＡコンテキストがＵＥコンテキストでバインドされるように、補助ＭＡコンテキストでバインドされ、ＭＡによって送信される位置更新要求を受信した後で、ネットワーク側は、ＭＡでバインドされたＵＥが対応する位置に移動したと判定する。したがって、移動するＵＥの位置は、ＭＡでバインドされた各ＵＥにそれぞれ位置更新要求を送信するよう要求せずに決定することができ、ネットワークの処理負荷が軽減される。
【０１６１】
当業者は、本発明の各実施形態における方法のステップの全部または一部が、関連ハードウェアに命令を出すプログラムによって実施され得ることを理解する。このプログラムは、ＲＯＭ／ＲＡＭ、磁気ディスク、ＣＤ−ＲＯＭ等のコンピュータ可読記憶媒体に記憶され得る。
【０１６２】
以上は、本発明によるモビリティ管理の方法、関連装置および通信システムである。本発明はいくつかの例示的実施形態によって説明されているが、本発明はそのような実施形態だけに限定されるものではない。当業者が、本発明の趣旨および範囲を逸脱することなく、本発明の改変および変形を行い得ることは明らかである。本発明は、それらの改変および変形が、添付の特許請求の範囲およびその均等物によって定義される保護の範囲内に該当する限りにおいて、それらの改変および変形を包含するものである。
【図１】
0005230813.tif 000002
【図２】
0005230813.tif 000003
【図３】
0005230813.tif 000004
【図４】
0005230813.tif 000005
【図５】
0005230813.tif 000006
【図６】
0005230813.tif 000007
【図７】
0005230813.tif 000008
【図８】
0005230813.tif 000009
【図９】
0005230813.tif 000010
【図１０】
0005230813.tif 000011
【図１１】
0005230813.tif 000012